(57)【要約】【課題】局部内部に疾病が発生した場合等に、局部内部に直接投薬することを可能とした局部治療のための局部洗浄装置のノズル構造を提供すること。【解決手段】局部洗浄装置のノズルの先端に薬液注入口を有した挿入サックを着脱自在とすると共に、同サックの周壁には粘稠性薬剤を保持するためのスリットを形成し、しかも前記ノズルは先端を昇降自在に構成し上昇時には挿入サック先端部が人体局部に挿入されるべく構成することとした。【選択図】　　図３
2004076435.tif 000002
【特許請求の範囲】
【請求項１】
局部洗浄装置のノズルの先端に薬液注入口を有した挿入サックを着脱自在とすると共に、同サックの周壁には粘稠性薬剤を保持するためのスリットを形成し、しかも前記ノズルは先端を昇降自在に構成し上昇時には挿入サック先端部が人体局部に挿入されるべく構成したことを特徴とする局部洗浄装置のノズル構造。
【請求項２】
ノズルは腰掛け便器のボウルの後部より進退自在であることを特徴とする請求項１記載の局部洗浄装置のノズル構造。
【請求項３】
挿入サックは水に溶解する柔軟性の素材としたものであることを特徴とする請求項１又は２記載の局部洗浄装置のノズル構造。
【請求項４】
挿入サックを生分解プラスチックで形成したことを特徴とする請求項３記載の局部洗浄装置のノズル構造。
【請求項５】
挿入サックを産廃紙で形成したことを特徴とする請求項３記載の局部洗浄装置のノズル構造。
【発明の詳細な説明】
【０００１】
【発明の属する技術分野】
本発明は、局部洗浄装置のノズル構造に関するものである。
【０００２】
【従来の技術】
従来、局部を洗浄する装置としては、腰掛け式便器に進退自在のノズルを設けた装置が多用されている。これは、排便後の操作により腰掛け式便器のホールの後方よりノズルが進退自在に作動するようにし、かつノズルには洗浄水を供給できるようにして排便後の局部の洗浄を行うものである。
【０００３】
また、かかる排便後の洗浄以外には女性用のビデの機能を有したノズルもあり、一般には１個のノズルで進退位置を変えて排便後の洗浄とビデとに併用するように構成されている。
【０００４】
【発明が解決しようとする課題】
ところが、従来のかかる局部洗浄装置は局部の洗浄のみを目的としたものであるため、洗浄以外に局部の治療を目的としたものはなかった。仮に、治療機能を有したノズルとして洗浄水中に薬液を含有させて局部の洗浄時に薬液による洗浄を行うものがあったとしても、これは局部の表面を薬液で洗浄したり、薬液を噴霧して塗布状態にするものであり、特に肛門内部の痔疾病、便秘疾病や子宮膣部糜爛等のように、内部に疾病が発生したような場合には単に薬液の噴霧のみでは充分な治療効果を得ることは困難であり、しかもノズルの噴射口より洗浄水とともに薬液を噴霧する場合はほとんどの薬液が飛散することにより無駄が多いこともあった。
【０００５】
【課題を解決するための手段】
上記問題点を解決すべく、本発明では、局部洗浄装置のノズルの先端に薬液注入口を有した挿入サックを着脱自在とすると共に、同サックの周壁には粘稠性薬剤を保持するためのスリットを形成し、しかも前記ノズルは先端を昇降自在に構成し上昇時には挿入サック先端部が人体局部に挿入されるべく構成してなる局部洗浄装置のノズル構造を提供せんとするものである。
【０００６】
さらに、以下の点にも特徴を有するものである。すなわち、
（１）ノズルは腰掛け便器のボウルの後部より進退自在であること。
（２）挿入サックは水に溶解する柔軟性の素材であること。
（３）挿入サックを生分解プラスチックで形成したこと。
（４）挿入サックを産廃紙で形成したこと。
【０００７】
【発明の実施の形態】
この発明では、予め局部治療のために局部洗浄装置のノズルを使用する前に、同ノズル先端部に挿入サックを被覆することにより挿入サックの内部にノズルの洗浄口が位置するようにする。挿入サックには予めその内周面や外周面に局部の治療のための粘稠性薬剤を塗布し、同薬剤が挿入サックの周壁に形成したスリット中に浸潤し保持されるようにしておく。かかる状態で便座に着座した人は一定の操作をしてノズル先端部を上昇させて局部に挿入サックを挿入する。例えば、痔疾患や便秘疾患の患者の場合は肛門内に挿入サック先端を挿入し、子宮膣部糜爛の患者の場合は膣部内に挿入サック先端を挿入するなど行う。かかる状態でノズルに洗浄水を通水すると、ノズルの噴射口より洗浄水が局部へ先端を挿入した挿入サック内に供給され、洗浄水は挿入サックの周壁のスリットに保持された粘稠性の薬剤を溶解しながら挿入サックの薬液注入口から局部内部へ注入される。同時に局部内部では洗浄水と共に薬液が挿入サックの周壁外にも溢れて挿入サックの外周面のスリットに保持された薬剤も溶解して充分な量の薬剤の供給が行われるものである。
【０００８】
薬剤の供給が完了すると、ノズル先端部を下降してもとの位置に復原することにより局部から挿入サックを抜去し、次いで挿入サックをノズル先端から取り外して便器内に捨て、洗浄水と同時に排出する。
【０００９】
挿入サックは水溶性の素材であるため、便器内に放置しても支障がない。この水溶性の素材としては、生分解プラスチックや産廃紙が考えられる。
【００１０】
【実施例】
以下、本発明に係る局部洗浄装置Ａの一実施例を図面に基づき説明する。
【００１１】
図１は本実施例に係る局部洗浄装置Ａの斜視図である。
【００１２】
図１に示すように、局部洗浄装置Ａは、便器本体１と、貯水タンク２と、機能部ケーシング３とよりなる。
【００１３】
便器本体１は、使用者を腰掛けさせるべく構成された椅子のような、いわゆる腰掛け便器であり、中央には排泄物を排泄するためのボウル部１ａを設け、排泄後は洗浄水を流して排泄物を下水へと押し流すようにしている。
【００１４】
貯水タンク２は、便器本体１の後方に配設されるものであり、便器洗浄用の水を予め貯留しておくためのタンクである。
【００１５】
機能部ケーシング３は、図２に示すように局部洗浄装置Ａを操作するための入力部である操作部４と、便座５と、便蓋６と、ベース部材となるケーシング部７とよりなる。
【００１６】
操作部４は、機能部ケーシング３の一側端部を前方に伸延してアーム状に形成している。この操作部４の上面には操作パネル８を設けており、洗浄運転のオン・オフ、ノズル位置調整、温風による乾燥運転などを実行処理できるようにしているとともに、運転状態表示や洗浄水の水勢強弱表示がなされるようにしている。また、電源のオン・オフ、洗浄水や便座、温風の温度設定等の基本設定もここで行って、全ての制御をこの操作パネル８で行えるようにしている。
【００１７】
さらに、操作部４はメモリ機能を内蔵しており、ノズルの移動制御のための最適なノズル位置データを複数記憶することができるようにしている。
【００１８】
便座５は、前記機能部ケーシング３の前面部に枢支連結して開閉自在としており、また、便座５内部にヒータを内蔵しており暖房機能を有している。２５は便座ヒータに通電するコードである。
【００１９】
便蓋６は、前記便座５に枢支連結され開閉自在に取り付けられている。そして、局部洗浄装置Ａを使用するときには便蓋６を開いた状態で使用する。局部洗浄装置Ａを使用しないときは便蓋６を閉じていても良い。
【００２０】
ケーシング部７は、集積回路を用いた局部洗浄装置Ａの全制御を掌る制御部によって、給水の制限や、流路の開閉などを行っており、給水された水を暖めて洗浄水としノズル装置Ｂへと給水を行ったら、ケーシング部７の前端縁に切欠形成した送気口より使用者の局部に向けて温風を送風して洗浄後の局部を乾燥させたりするための制御機能を有する。
【００２１】
かかるケーシング部７におけるノズル装置Ｂのノズル構造について説明する。
【００２２】
図３はノズル装置Ｂの使用時における説明図、図４はノズル装置Ｂの先端に配設した噴出用ノズル９の側面断面説明図である。
【００２３】
かかるノズル装置Ｂは、洗浄水を使用者の局部へ噴出するための噴出部Ｂ１と、同噴出部Ｂ１を摺動可能とする摺動部Ｂ２と、噴出部Ｂ１を回動させるための回動部Ｂ３とよりなる。
【００２４】
噴出部Ｂ１は、ノズル装置Ｂの先端に配設した洗浄水を噴出するための噴出用ノズル９よりなり、図４に示すように、噴出用ノズル９の先端部に洗浄水を噴出するためのビデ用の噴出口１０と、肛門用の噴出口１１と、噴出用ノズル９を洗浄するために洗浄水を給水する給水口２６を複数所定の位置に設けている。
【００２５】
そして、ビデ用の噴出口１０と、肛門用の噴出口１１には洗浄水を送水するための送水管１２，１３を連通して形成しており、かかるビデ用の噴出口１０と、肛門用の噴出口１１には送水管１２，１３から一定高水圧の洗浄水が送水噴出されビデと肛門の洗浄が行えるように構成されている。
【００２６】
また、給水口２６には洗浄水を送水するための送水管２７を連通して形成しており、かかる給水口２６には送水管２７から一定低水圧の洗浄水が送水され、給水口２６から注がれる洗浄水は噴出用ノズル９の表面をつたって流れ落ちながら噴出用ノズル９の表面を洗浄するようにしている。このような噴出用ノズル９の洗浄は洗浄水が噴出される前後において行うようにして噴出用ノズル９を常に清潔に保ち、使用者が安心して気持ちよく使用できるようにしている。
【００２７】
摺動部Ｂ２は、後述する回動ケース１５の後部に軸架した大径の駆動プーリ１６と回動ケース１５の前部に軸架した小径の従動プーリ１７とその間に懸架した無端ベルト１８とよりなり、無端ベルト１８の復路には、テンションプーリ１９を設け、無端ベルト１８の往路には連結具を介して噴出用ノズル９の後部を連動連結しており、駆動プーリ１６の駆動によって無端ベルト１８を回転することにより噴出用ノズル９を無端ベルト１８に沿って前後に摺動可能とし噴出用ノズル９の便器内ボウル部１ａへの出し入れを可能としている。
【００２８】
すなわち、噴出用ノズル９を使用する時には、回動ケース１５内に収納しておいた噴出用ノズル９を摺動させて使用位置まで前進させ、噴出用ノズル９先端の噴出口１０，１１から洗浄水を噴出して使用者の局部洗浄を行い、噴出用ノズル９の使用後は後退させて回動ケース１５内に収納し、このように噴出用ノズル９を使用しない時は、噴出用ノズル９を回動ケース１５内に格納しておくものである。
【００２９】
また、噴出用ノズル９は前後方向に摺動させて個人に対応した最適な位置に噴出用ノズル９を調節可能としており、この局部洗浄装置Ａを複数の使用者で使用する場合において使い勝手を良くして快適に使用することができるように構成している。
【００３０】
回動部Ｂ３は、摺動部Ｂ２を収納する回動ケース１５の後端面に形成した半円弧状のギア２０と同ギア２０に噛合した昇降用駆動ギア２１とよりなり、同駆動ギア２１は制御装置を介してモータに連動連結されている。したがって、同駆動ギア２１の回動によって回動ケース１５の後端のギア２０が回動するために、回動ケース１５は、駆動プーリ１６の軸と兼用した回動軸２２を中心にして上下回動する。
【００３１】
このように、回動ケース１５の回動に伴って回動ケース１５より進出した噴出用ノズル９の先端は上下に昇降することになる。
【００３２】
この回動部Ｂ３により上下作動する噴出用ノズル９の先端には、後述する挿入サックＣが取り外し自在に装着されている。
【００３３】
かかる挿入サックＣは、噴出用ノズル９の先端部に装着されることにより、噴出用ノズル９の上昇とともに使用者の局部内に挿入されるものであり、所定の治療終了後は噴出用ノズル９の下降とともに局部内より挿入サックＣを抜去し、次いで抜去した挿入サックＣは噴出用ノズル９の先端部より取り外し廃棄するように構成されている。
【００３４】
すなわち、同挿入サックＣは、図５に示すように、ノズルの先端に密着被覆する形状とした先端有底筒状の弾性素材よりなるサック本体Ｃ１と、同サック本体Ｃ１の一周壁部に連続して突出した挿入チップ部Ｃ２とよりなり、サック本体Ｃ１内部と挿入チップ部Ｃ２内部とは直通状態とし、挿入チップ部Ｃ２の周壁には粘稠性薬剤を保留するためのスリットＣ３を形成すると共に、挿入チップ部Ｃ２の先端には薬液注出孔Ｃ４を形成してなる。
【００３５】
また、挿入サックＣは、水に溶解する生分解プラスチックにより形成されている。この生分解性プラスチックは、水（淡水、海水、下水等）や土壌、堆肥等の環境中で徐々に分解し、ある一定期間後には跡形もなくなり、最終的には微生物によって水と二酸化炭素に分解されるものである。また、生分解性プラスチックはでんぷん等、石油以外を原料としており、焼却されたとしても燃焼カロリーは一般のプラスチックよりかなり低く、環境負荷が小さい。さらに、使用期間中はプラスチック本来の機能を保ち、不要になると自然に戻るという理想的なプラスチックである。
【００３６】
サック本体Ｃ１は、先端有底筒状であり噴出用ノズル９の先端部と同等形状を有して噴出用ノズル９の先端部を完全に被覆しうるものであり、サック本体Ｃ１の基端開口部には突出部２８を設けている。
【００３７】
挿入チップ部Ｃ２は、先端部を逐次細くなるように形成し、先端は丸みを帯びた形状としている。また、周壁は厚く形成し、プラスチック本来の形状保持という機能を有している。
【００３８】
スリットＣ３は、図７に示すように挿入チップ部Ｃ２の表側周壁と裏側周壁とに複数形成され、表側周壁に形成されたスリットＣ３と裏側周壁に形成されたスリットＣ３とは挿入チップ部Ｃ２の中心から放射状に伸びる同一放射線上には存在せず互い違いに交互に形成されている。そして、このスリットＣ３内には粘稠性薬剤Ｄが豊富に保留されている。この粘稠性薬剤Ｄは、溶解性に優れ洗浄水に速やかに溶解し洗浄水を治療水へと変えることができる。
【００３９】
このように構成した挿入サックＣを噴出用ノズル９先端に被覆するに際しては、噴出用ノズル９の噴出口１０，１１部分を被覆するように装着する。この時、挿入サックＣのサック本体Ｃ１は、弾性素材よりなるため、噴出用ノズル９の先端部に装着しやすく、また、装着後は噴出用ノズル９の先端部と同形状であるため噴出用ノズル９の先端部に密着して挿入サックＣ内に洗浄水が送水されたとしても水圧に耐え装着された状態を保持して抜け落ちることはない。
【００４０】
かかる噴出用ノズル９の先端の挿入サックＣは、次のようにして使用者の局部へ挿入されて治療行為が行われる。
【００４１】
すなわち、挿入サックＣを装着した噴出用ノズル９の先端部を回動部Ｂ３の作用により上昇させることによって、挿入サックＣに突出した挿入チップ部Ｃ２を使用者の局部に挿入する。この時、挿入チップ部Ｃ２が素材であるプラスチック本来の形状保持という性質を有しているため、挿入チップ部Ｃ２が倒れたり、潰れたりすることはなく、局部への挿入チップＣ２の挿入はいたってスムーズである。
【００４２】
こうして、挿入チップ部Ｃ２が使用者の局部内に挿入されると、噴出用ノズル９より洗浄水を挿入チップ部２内に送水することによって治療を開始する。
【００４３】
すなわち、図６に示すように、噴出用ノズル９より送水された洗浄水が、挿入チップ部Ｃ２の内周壁に形成したスリットＣ３に保持された粘稠性薬剤Ｄを溶解しながら、挿入チップ部Ｃ２の先端部に配設した複数の薬液注入孔Ｃ４から局部内部へ注入されると同時に、局部内部では洗浄水とともに薬液が挿入チップ部Ｃ２の周壁外にも溢れて、挿入チップ部Ｃ２の外周面のスリットＣ３に保持された薬剤も溶解して患部に充分な量の薬剤の供給が行われる。
【００４４】
この粘稠性薬剤Ｄは溶解性に優れ、洗浄水に速やかに溶解して洗浄水を治療水に変えることができる。
【００４５】
このように、局部内部に生起した患部に直接投薬して働きかけることができるので治療効果を向上することができる。
【００４６】
そして、治療が完了すると噴出用ノズル９の先端部に装着した挿入サックＣは自動的に同噴出用ノズル９から抜去される。すなわち、噴出用ノズル９を下方に回動し回動ケース１５内に後退収納させるに際し、噴出用ノズル９の外周と、回動ケース１５の内周とがほぼ同径であるので、噴出用ノズル９が回動ケース１５に収納される過程において回動ケース１５の周壁前端縁と、噴出用ノズル９の先端部に装着した挿入サックＣの基端開口部の突出部２８とが当接し、さらに噴出用ノズル９が後退することによって挿入サックＣの突出部２８は回動ケース１５の周壁前端縁に押されて噴出用ノズル９の先端部から逐次押出されて、噴出用ノズル９が回動ケース１５内に収納される間に、挿入サックＣは噴出用ノズル９の先端部から抜去され便器本体１のボウル部１ａ内に落下し洗浄水の排水とともに下水に押し流される。
【００４７】
この挿入サックＣは水に溶解する柔軟性の素材である生分解プラスチックで形成されているため、後日膨潤して分散するため便器内に放置しても支障がない。
【００４８】
したがって、挿入サックＣは使用後の処分に困ることがなく、しかも処分後も安全で自然に優しいので非常に使い勝手が良い。
【００４９】
なお、局部洗浄装置Ａにはメモリ機能を設けており、最適な位置を見つけた場合には、そのデータを入力して操作パネル上における所定の個人データ用のボタンに対応させて記憶することができるようにしている。そして、次回からは前記所定の個人データ用のボタンを押すことでそのデータを呼び出し可能とし、小さな挿入チップ部Ｃ２を使用者の局部に正確に誘導・挿入して、局部内部に生起した患部に直接投薬する治療を快適に行うことができるようにしている。
【００５０】
以上、実施例においては、洗浄水を噴出するためのビデ用の噴出口１０と、肛門用の噴出口１１とを所定の位置に設けている噴出用ノズル９について説明してきたが、この噴出用ノズルとしては上記したようにビデ用と肛門用の２個の噴出口１０，１１を設けた噴出用ノズル９の他に、１個の噴出口を設けた噴出用ノズル９’も考えられる。
【００５１】
以下に、１個の噴出口を設けた噴出用ノズル９’を用いた他の実施例について説明する。なお、以下に示す他の実施例は、噴出用ノズル９’以外は前述した実施例と全く同様であり、噴出用ノズル９’以外の説明を省略する。
【００５２】
図８に、噴出用ノズル９’の側面断面説明図を示す。
【００５３】
噴出用ノズル９’の先端部には、送水管２４と連設した洗浄水を噴出するための噴出口２３を１個だけ設けている。
【００５４】
この１個の噴出口２３を用いて、洗浄水を膣部と肛門部という異なった位置にそれぞれ噴出するために、本実施例では使用目的毎に噴出用ノズル９’の移動停止位置を変更可能としている。
【００５５】
すなわち、噴出口２３より噴出される洗浄水を使用者の膣部や肛門部に向けて噴出可能な位置に噴出用ノズル９’を移動させることによって、１個の噴出口２３のみで膣部と肛門部の両方を洗浄することができるようにしている。
【００５６】
このように噴出用ノズル９’を使用する場合においても、使用前後において噴出用ノズル９’の中途部に設けた複数の給水口２６から洗浄水を給水して噴出用ノズル９’を洗浄することによって清潔を保つようにしている。
【００５７】
また、実施例において生分解プラスチックにより形成された挿入サックＣについて説明してきたが、この挿入サックとしては、上記した生分解プラスチックで形成された挿入サックＣ以外にも、再利用された紙、すなわち、産廃紙で形成された挿入サックを用いることができる。
【００５８】
現在、日本の製紙原料の半分以上は古紙であり、日本の産廃紙利用率は既に世界で最高の水準にある。そして、かかる産廃紙利用製品の需要の拡大に伴い、廃紙の資源化に関する研究・開発も進行しており、不純物が少なく医療用にも使用できる産廃紙が開発されている。そして、このような産廃紙で形成された挿入サックＣを用いることにより、挿入サックＣの大幅なコスト削減が可能となる。したがって、挿入サックの単価を下げることができ、使用者に多用してもらうことを可能として治療効果を向上することができる。
【００５９】
【発明の効果】
発明は上記のような形態で実施されるもので、以下の効果を奏する。
【００６０】
（１）請求項１記載の本発明によれば、局部洗浄装置のノズルの先端に薬液注入口を有した挿入サックを着脱自在とすると共に、同サックの周壁には粘稠性薬剤を保持するためのスリットを形成し、しかも前記ノズルは先端を昇降自在に構成し上昇時には挿入サック先端部が人体局部に挿入されるべく構成したので、局部内部に挿入サックを挿入した状態でノズルに洗浄水を通水することによって洗浄水が挿入サック内に供給され、洗浄水は挿入サックの内周壁のスリットに保持された粘稠性の薬剤を溶解しながら挿入サックの薬液注入口から局部内部へ注入されると同時に、局部内部では洗浄水と共に薬液が挿入サックの周壁外にも溢れて挿入サックの外周面のスリットに保持された薬剤も溶解して使用者の患部に充分な投薬を行い、局部内部に生起した患部に直接投薬することによって治療効果を向上することができる効果がある。
【００６１】
（２）請求項２記載の本発明によれば、ノズルは腰掛け便器のボウルの後部より進退自在に構成したので、噴出用ノズルを使用しないときは便器のボウルの後部における待機位置に格納しておき、ノズルを使用する時にだけ使用位置まで前進させて機能させ、使用後には後退させて再び待機位置に格納することができ、衛生的で見た目を良くできる効果がある。
【００６２】
また、ノズルの先端位置を前後方向に制御できるので、ノズルを使用する際、個人に対応した最適な位置にノズルを調節可能とし、使い勝手を良くする効果がある。
【００６３】
さらに、ノズル先端位置に設けた洗浄水を噴出させる孔が１個の場合でも、ノズルを前後させることによってビデ用と肛門用とを使い分けできる効果がある。
【００６４】
（３）請求項３記載の本発明によれば、挿入サックは水に溶解する柔軟性の素材としたものとしたので、水中で分解され、ある一定期間後には跡形もなくなる性質を有し、薬剤の投薬が完了したら便器内に放置して洗浄水とともに処分することができるため、処分が簡単で使い勝手が良いという効果とともに、処分後も安全で自然に優しいので安心して使用できる効果がある。
【００６５】
（４）請求項４記載の本発明によれば、挿入サックは生分解プラスチックで形成したので、水中で分解され、ある一定期間後には跡形もなくなる性質を有し、薬剤の投薬が完了したら便器内に放置して洗浄水とともに処分することができるため、処分が簡単で使い勝手が良いという効果とともに、処分後も安全で自然に優しいので安心して使用できる効果がある。また、生分解プラスチックはプラスチック本来の形状保持という機能を有しており、挿入サックの局部内部への挿入を非常にスムーズとし、使用において嫌悪感がなく使いやすい挿入サックを使用者に提供できる効果がある。
【００６６】
（５）請求項５記載の本発明によれば、挿入サックを産廃紙で形成したので、水中で分解され、ある一定期間後には跡形もなくなる性質を有し、薬剤の投薬が完了したら便器内に放置して洗浄水とともに処分することができるため、処分が簡単で使い勝手が良いという効果とともに、処分後も安全で自然に優しいので安心して使用できる効果がある。また、挿入サックにかかる大幅なコスト削減を可能とし、使用者に常用してもらうことによって治療効果を向上することができる効果がある。
【図面の簡単な説明】
【図１】局部洗浄装置の斜視図である。
【図２】機能部ケーシングの斜視図である。
【図３】ノズル装置の使用方法を示す説明図である。
【図４】噴出用ノズルの側面断面説明図である。
【図５】噴出用ノズルに挿入サックを挿入した説明図である。
【図６】挿入サックを用いた治療についての説明図である。
【図７】図６のＩ−Ｉ線における断面図である。
【図８】他の実施例における噴出用ノズルの側面断面説明図である。
【符号の説明】
Ａ　　局部洗浄装置
Ｂ　　ノズル装置
Ｂ１　噴出部
Ｂ２　摺動部
Ｂ３　回動部
Ｃ　　挿入サック
Ｃ１　サック本体
Ｃ２　挿入チップ部
Ｃ３　スリット
Ｄ　　粘稠性薬剤
１　　便器本体
３　　機能部ケーシング
１５　回動ケース
１６　駆動プーリ
２１　駆動ギア
【図１】
2004076435.tif 000003
【図２】
2004076435.tif 000004
【図３】
2004076435.tif 000005
【図４】
2004076435.tif 000006
【図５】
2004076435.tif 000007
【図６】
2004076435.tif 000008
【図７】
2004076435.tif 000009
【図８】
2004076435.tif 000010